(57)【要約】【課題】使用者に、例えば体重・脂肪率等の生体の状態を示す値を測定する動機付けを与え、同一条件下で継続して生体の状態を示す指標を測定させる健康管理システムを提供する。【解決手段】携帯端末装置２０のアプリケーション実行部２０１は、タイマー設定時刻になると、表示制御部２０４に指示して、音声出力部２６によるアラーム表示を開始させる。これに応じて、使用者が体組成計３０に乗ると、測定処理部３９ａは、体重・体脂肪率等の生体の状態を示す指標を測定し、通信制御部３９ｃは測定した指標（測定データ）を携帯端末装置２０宛に送信させる。体組成計３０からの測定データを受信すると、アプリケーション実行部２０１はアラーム表示を停止させ、状態管理部２０３は、管理テーブル２４ｅを操作してコンテンツの表示等の制限を解除する。【選択図】図１
2015119745.tif 000002
【特許請求の範囲】
【請求項１】
携帯端末装置と生体の状態を測定して生体の状態を示す指標を生成する生体測定装置とを備える健康管理システムであって、
前記携帯端末装置は、
コンテンツを保持するコンテンツ保持部と、
前記コンテンツを表示する表示部と、
前記コンテンツを前記表示部に表示することを制限する表示制限部と、
アラームを報知する報知部と、
所定時刻に前記アラームを報知するように前記報知部を制御する報知制御部と、
前記生体測定装置から前記指標を受信する受信部と、
該受信部により前記指標を受信した際に、前記表示制限部による表示の制限を解除する解除部とを備え、
前記生体測定装置は、
使用者の生体の状態を測定して前記生体の状態を示す指標を生成する指標生成部と、
前記指標を前記携帯端末装置宛に送信する送信部と、
を備えることを特徴とする健康管理システム。
【請求項２】
前記生体の状態を示す指標は、少なくとも体重又は体脂肪率を含み、
前記所定時刻が使用者の起床時刻又は就寝時刻に応じて設定した時刻である、
ことを特徴とする請求項１記載の健康管理システム。
【請求項３】
前記生体測定装置の指標生成部は、
前記使用者のインピーダンスを測定するインピーダンス測定部と、
測定したインピーダンスに応じて前記体脂肪率を推定する推定部と、
を備えることを特徴とする請求項２記載の健康管理システム。
【請求項４】
前記携帯端末装置には、個々の装置毎に固有の識別情報が割り当てられており、
前記生体測定装置は、個々の使用者毎に、過去に生成した前記指標と当該使用者が使用する携帯端末装置の識別情報とを対応つけて保持する管理テーブルを備え、
前記送信部は、前記管理テーブルを参照し、前記生成部が生成した前記指標に対応する携帯端末装置の識別情報を取得し、取得した識別情報に対応する前記携帯端末装置に前記指標を送信する、
ことを特徴とする請求項１乃至３のいずれかに記載の健康管理システム。
【請求項５】
使用者の生体の状態を測定する測定部と、
該測定部の測定結果に応じて前記生体の状態を示す指標を生成する指標生成部と、
前記生成した指標を、コンテンツを保持するコンテンツ保持部と、前記コンテンツを表示する表示部と、前記コンテンツを前記表示部に表示することを制限する表示制限部と、当該生体測定装置から前記指標を受信する受信部と、該受信部により前記指標を受信した際に、前記表示制限部による表示の制限を解除する解除部とを備える携帯端末装置宛に送信する送信部と、
を備えることを特徴とする生態測定装置。
【請求項６】
生体の状態を測定して生体の状態を示す指標を生成する生体測定装置と連動して動作可能であり、コンテンツを保持するコンテンツ保持部と、アラームを報知する報知部と、前記コンテンツを表示する表示部と、前記生体測定装置から前記指標を受信する受信部とを備えた携帯端末装置の動作を制御するプログラムであって、
前記携帯端末装置を、
前記コンテンツを前記表示部に表示することを制限する表示制限部と、
所定時刻にアラームを報知するように前記報知部を制御する報知制御部と、
前記受信部により前記指標を受信した際に、前記表示制限部による表示の制限を解除する解除部として機能させる、
ことを特徴とするプログラム。
【請求項７】
コンテンツを保持するコンテンツ保持部と、
前記コンテンツを表示する表示部と、
前記コンテンツを前記表示部に表示することを制限する表示制限部と、
アラームを報知する報知部と、
所定時刻に前記アラームを報知するように前記報知部を制御する報知制御部と、
生体の状態を測定して生体の状態を示す指標を生成する生体測定装置から前記指標を受信する受信部と、
該受信部により前記指標を受信した際に、前記表示制限部による表示の制限を解除する解除部と、
を備えることを特徴とする携帯端末装置。
【発明の詳細な説明】
【技術分野】
【０００１】
本発明は、体重・体脂肪率等の生体の情報を管理する健康管理システムに関する。
【背景技術】
【０００２】
ダイエットや健康管理のためには、体重・体脂肪率等の生体の状態を示す指標を継続的に測定し、管理することが求められている。
【０００３】
このような健康管理の手法として、体重・体脂肪率等の指標を測定する装置が知られている（例えば特許文献１）。
【先行技術文献】
【特許文献】
【０００４】
【特許文献１】特開２０１２−１８３２５３号公報
【発明の概要】
【発明が解決しようとする課題】
【０００５】
測定頻度を向上させて健康管理の有効性を向上させるためには、毎日同様の条件、例えば起床時（目覚め直後、朝食前）に生体の状態を示す指標を継続して測定することが重要である。しかしながら、特に起床時等に測定しようとすると、測定がわずらわしかったり、眠かったりして、使用者が継続して測定しようとする意欲が湧かない等の問題があった。
【０００６】
以上の事情に鑑みて、本発明は、使用者に、例えば体重・体脂肪率等の生体の状態を示す指標を測定する動機付けを与え、同一条件下で継続して生体の状態を示す指標を測定させることを目的としている。
【課題を解決するための手段】
【０００７】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００８】
本発明に係る健康管理システム（１）は、携帯端末装置（２０）と生体の状態を測定して生体の状態を示す指標を生成する生体測定装置（３０）とを備える健康管理システムであって、前記携帯端末装置（２０）は、コンテンツを保持するコンテンツ保持部（２４）と、前記コンテンツを表示する表示部（２２）と、前記コンテンツを前記表示部に表示することを制限する表示制限部（２４ｅ，２０３，２０４）と、アラームを報知する報知部（２２，２６）と、所定時刻にアラームを報知するように前記報知部を制御する報知制御部（２０１，２０２，２０４）と、前記生体測定装置（３０）から前記指標を受信する受信部（２１ａ，２０１）と、該受信部により前記指標を受信した際に、前記表示制限部による表示の制限を解除する解除部（２０１，２０３）とを備え、前記生体測定装置（３０）は、使用者の生体の状態を測定して前記生体の状態を示す指標を生成する指標生成部（３７，３８，３９ａ）と、前記指標を前記携帯端末装置宛に送信する送信部（３９ｃ，３６）とを備える。
【０００９】
この健康管理システムでは、報知部によるアラームの報知に応じて使用者が生体測定装置によって生体の状態をを測定すると、生体測定装置の送信部が、指標生成部によって生成された指標を携帯端末装置宛に送信する。受信部を介して測定データを受信すると、解除手段は、表示制限手段によるコンテンツの表示の制限を解除する。これにより、使用者が生体の状態を示す指標の測定を行った際に、コンテンツの表示の制限を解除させることができる。
【００１０】
本発明に係る健康管理システムの好適な態様として、前記生体の状態を示す指標は、少なくとも体重又は体脂肪率を含み、前記所定時刻が使用者の起床時刻又は就寝時刻に応じて設定した時刻である態様とすることもできる。この態様では、使用者の起床時刻、就寝時刻に応じた時刻に報知部によるアラームの報知を行って、体重又は体脂肪率の測定を促すことができる。
【００１１】
本発明に係る健康管理システムの好適な態様として、前記生体測定装置の指標生成部は、前記使用者のインピーダンスを測定するインピーダンス測定部と、測定したインピーダンスに応じて前記体脂肪率を推定する推定部とを備える態様とすることもできる。
【００１２】
本発明に係る健康管理システムの好適な態様として、前記携帯端末装置には、個々の装置毎に固有の識別情報が割り当てられており、前記生体測定装置は、個々の使用者毎に、過去に生成した前記指標と当該使用者が使用する携帯端末装置の識別情報とを対応つけて保持する管理テーブルを備え、前記送信部は、前記管理テーブルを参照し、前記生成部が生成した前記指標に対応する携帯端末装置の識別情報を取得し、取得した識別情報に対応する前記携帯端末装置に前記指標を送信する態様とすることもできる。
【００１３】
この態様では、指標生成部が指標を生成すると、送信部が管理テーブルを参照し、指標生成部が生成した指標に対応する携帯端末装置の識別情報を取得し、取得した識別情報に対応する携帯端末装置に指標を送信する。具体的には、送信部は、指標生成部が生成した指標と、管理テーブルに記録されている複数の使用者の過去の指標のうち、最も近い過去の指標を特定し、特定した過去の指標に対応する携帯端末装置の識別情報を取得し、取得した識別情報に対応する携帯端末装置に指標を送信する。この態様では、生体の情報を測定した使用者の携帯端末装置に指標を送信することができる。
【００１４】
また、本発明に係る生体測定装置は、使用者の生体の状態を測定する測定部と、該測定部の測定結果に応じて前記生体の状態を示す指標を生成する指標生成部と、前記生成した指標を、コンテンツを保持するコンテンツ保持部と、前記コンテンツを表示する表示部と、前記コンテンツを前記表示部に表示することを制限する表示制限部と、当該生体測定装置から前記指標を受信する受信部と、該受信部により前記指標を受信した際に、前記表示制限部による表示の制限を解除する解除部とを備える携帯端末装置宛に送信する送信部と、を備える。
【００１５】
また、本発明に係るプログラムは、生体の状態を測定して生体の状態を示す指標を生成する生体測定装置と連動して動作可能であり、コンテンツを保持するコンテンツ保持部と、アラームを報知する報知部と、前記コンテンツを表示する表示部と、前記生体測定装置から前記指標を受信する受信部とを備えた携帯端末装置の動作を制御するプログラムであって、前記携帯端末装置を、前記コンテンツを前記表示部に表示することを制限する表示制限部と、所定時刻にアラームを報知するように前記報知部を制御する報知制御部と、前記受信部により前記指標を受信した際に、前記表示制限部による表示の制限を解除する解除部として機能させる。
【００１６】
また、本発明に係る携帯端末装置は、コンテンツを保持するコンテンツ保持部と、前記コンテンツを表示する表示部と、前記コンテンツを前記表示部に表示することを制限する表示制限部と、アラームを報知する報知部と、所定時刻に前記アラームを報知するように前記報知部を制御する報知制御部と、生体の状態を測定して生体の状態を示す指標を生成する生体測定装置から前記指標を受信する受信部と、該受信部により前記指標を受信した際に、前記表示制限部による表示の制限を解除する解除部と、を備える。
【図面の簡単な説明】
【００１７】
【図１】本発明の実施形態に係る健康管理システムの構成例を示すブロック図である。
【図２】同システムを構成する携帯端末装置及び体組成計の構成例を示すブロック図である。
【図３】同携帯端末装置のメモリに格納されるデータの例を示す図である。
【図４】同メモリに格納された管理テーブルの例を示す図である。
【図５】同システムにおけるサーバ装置から携帯端末装置にアプリケーションを提供する処理の一例を示すシーケンス図である。
【図６】同システムにおける携帯端末装置の動作の一例を示すフローチャートである。
【図７】同携帯端末装置におけるコンテンツの表示動作の一例を示すフローチャートである。
【図８】同携帯端末装置が保持するコンテンツの例を示す図である。
【図９】同コンテンツに応じて携帯端末装置の表示部に表示される画像の例を示す図である。
【図１０】同コンテンツに応じて同携帯端末装置の表示部に表示される画像の例を示す図である。
【図１１】同システムを構成する体組成計が保持する管理テーブルの例を示す図である。
【図１２】同システムを構成する体組成計から携帯端末装置に測定データを送信する処理の一例を示すシーケンス図である。
【発明を実施するための形態】
【００１８】
［１．第１の実施形態］
＜Ａ：構成＞
以下、添付図面を参照して、本発明に係る健康管理システムの一実施形態を詳細に説明する。本実施形態では、生体の状態を示す指標の一例である体重及び体脂肪率等を例に説明するものとする。図１は、本実施形態に係る健康管理システム１の構成を示す図である。
この健康管理システムは、アプリケーションプログラム（以下、単にアプリケーションという。）の提供・管理サービスの提供等を行うサーバ装置１０と、このサーバ装置１０と携帯電話通信網・インターネット等のネットワーク５を介して通信を行う携帯電話端末・スマートフォン等の携帯端末装置２０と、使用者の体重・体脂肪率等の生体の状態を測定する体組成計３０とを備えている。
【００１９】
サーバ装置１０は、ＭＰＵ（Micro-Processing Unit）１１、メモリ１２、ＨＤＤ（Hard Disk Drive）等のストレージ装置１３、ネットワーク５を介して通信を行う通信インタフェース１４等を備えている。ストレージ装置１３には、例えば認証を行うための認証情報１３ａ、アプリケーション１３ｂ、音声、画像、映像、プログラム、文章等のコンテンツデータ（以下、単にコンテンツと言う。）１３ｃ、使用者の測定データ（ユーザデータ）１３ｄ等が格納されている。
【００２０】
ＭＰＵ１１は、例えばメモリ１２等に格納されている制御プログラムを実行することにより、サービス提供のフロントエンドとなるＨＴＴＰサーバ１０４と、ストレージ装置１３に格納されている認証情報１３ａに基づいて個々の携帯端末装置２０の使用者の認証を行うユーザ認証部１０１と、ストレージ装置１３に格納されているアプリケーション１３ｂ，コンテンツ１３ｃ等を携帯端末装置２０に提供するコンテンツ提供部１０２と、体組成計３０から携帯端末装置２０から提供される使用者の生体の状態を示す指標（測定データ）をストレージ装置１３に格納して管理するユーザデータ管理部１０３等として機能する。
【００２１】
携帯端末装置２０は、アプリケーション，コンテンツ等に応じた画像を表示する表示部（表示部，報知部）２２と、使用者からの操作指示等を入力する操作部２３を備えている。また、体組成計３０は、測定用の電極３１ａ，３１ｂ，３２ａ，３２ｂと、使用者が選択指示等を入力する操作部３３と、測定結果等を表示する表示部３４を備えている。
【００２２】
図２は、携帯端末装置２０及び体組成計３０の詳細な構成を示す図である。
携帯端末装置２０は、さらに、例えば図２に示すように、ネットワーク５あるいは体組成計３０等との間の通信を行う通信制御部２１と、ＲＯＭ，ＲＡＭ等のメモリ２４と、ＭＰＵ２５と、スピーカ等の音声出力部（報知部）２６とを備えている。
【００２３】
通信制御部２１は、携帯電話通信網に対する通信を行う遠距離無線通信制御部２１ａと、ＩＥＥＥ  ８０２．１５．１[ＢｌｕｅＴｏｏｔｈ（登録商標）]，ＩＥＥＥ  ８０２．１１等の規格に従って体組成計３０等との間で通信を行う近距離無線通信制御部２１ｂとを備えている。ＭＰＵ２５は、例えばメモリ２４等に格納されている制御プログラムを実行することにより、メモリ２４に格納されているアプリケーションを実行するアプリケーション実行部２０１と、時刻をカウント（計時）するタイマー２０２と、画像等のコンテンツを表示する際の制限状態を管理する状態管理部２０３と、表示部２２及び音声出力部２６に対する表示を制御する表示制御部（報知制御部，表示制限部）２０４と、Ｗｅｂブラウザ２０５等として機能する。
【００２４】
また、体組成計３０は、ＲＯＭ，ＲＡＭ等のメモリ３５と、ＩＥＥＥ  ８０２．１５．１，ＩＥＥＥ  ８０２．１１等の近距離無線通信により携帯端末装置２０等との間で通信を行う通信部３６と、電極３１ａ，３１ｂ間に電流を供給する電流供給部３７と、電極３２ａ，３２ｂ間の電圧を測定する電圧測定部３８と、ＭＰＵ３９とを備えている。ＭＰＵ３９は、例えばメモリ３５等に格納されている制御プログラムを実行することにより、電圧測定部３８による測定された電圧の処理を行う測定処理部３９ａと、表示部３４の表示を制御する表示制御部３９ｂと、通信部３６による通信を制御する通信制御部３９ｃ等として機能する。また、体組成計３０は、圧電素子等からなる圧力センサ４０と、この圧力センサ４０の検出出力に応じて体重を測定する体重測定部４１とを備えている。
【００２５】
携帯端末装置２０のメモリ２４内には、例えば図３に示すように、例えば個々の携帯端末装置２０毎に固有の識別情報（ＵＩＤ）とパスワード（Ｐ／Ｗ）等からなる認証データ２４ａと、例えばサーバ装置１０から取得したアプリケーション２４ｂ及びコンテンツ２４ｃと、体組成計３０から取得した生体の状態を示す指標（測定データ）等のユーザデータ２４ｄと、コンテンツの表示等の制限を管理する管理テーブル２４ｅが格納される。
【００２６】
コンテンツ２４ｃは、アプリケーション２４ｂあるいはこのアプリケーション２４ｂとは別の表示プログラムが表示等するデータであり、音声＋静止画、動画、文字（文章等）、アプリケーション等の種類がある。各々のコンテンツの表示等の制限については、状態管理部２０３が、例えば図４に示す管理テーブル２４ｅに基づいて管理するようになっている。この管理テーブル２４ｅには、例えば個々のコンテンツ毎に固有の識別情報（ＣＩＤ）と、当該コンテンツの種類を示す情報（種類）と、当該コンテンツのファイル名を示す情報（ファイル名）と、再生の制限の有無を示す情報（制限）とが対応付けて格納されている。
【００２７】
＜Ｂ：動作概要＞
次に、健康管理システム１の動作の概要について説明する。
（アプリケーション等の提供）
本実施形態の健康管理システム１では、携帯端末装置２０のメモリ２４に格納されるアプリケーション２４ｂとコンテンツ２４ｃは、例えば図５に示す処理によってサーバ装置１０から携帯端末装置２０に提供されるようになっている。
【００２８】
携帯端末装置２０で実行されているＷｅｂブラウザ２０５を操作している使用者から、操作部２３を介してアプリケーション等の取得が指示されると、ＭＰＵ２５は、サーバ装置１０に対するログイン要求を送信する（Ｓ１０２）。このログイン要求は、ネットワーク５，通信インタフェース１４，ＨＴＴＰサーバ１０４を介してユーザ認証部１０１に供給される。ユーザ認証部１０１は、携帯端末装置２０に、認証データの送信を要求する（Ｓ１０２）。ＭＰＵ２５は、これに応じてメモリ２４に格納されている認証データ２４ａを送信する（Ｓ１０３）。ユーザ認証部１０１は、携帯端末装置２０から受信した認証データに問題がなければログインが成功した旨のログイン結果通知を携帯端末装置２０宛に送信する（Ｓ１０４）。
【００２９】
続いて、ＭＰＵ２５は、アプリケーション，コンテンツ等のリストを要求する（Ｓ１０５）。この要求は、ネットワーク５，通信インタフェース１４，ＨＴＴＰサーバ１０４を介してコンテンツ提供部１０２に供給される。コンテンツ提供部１０２は、このような要求が供給されると、ストレージ装置１３に格納されているアプリケーション，コンテンツ等のリストを表示させるデータ（例えばＨＴＭＬ形式等のページ記述言語で記載されたデータ）を生成し、携帯端末装置２０宛に送信する（Ｓ１０６）。
【００３０】
携帯端末装置２０のＭＰＵ２５は、このようなリストを表示させるデータを受信すると、Ｗｅｂブラウザ２０５によって表示部２２に表示させる。このようなリストから特定のアプリケーションを選択した使用者から、アプリケーションの取得が指示されると、ＭＰＵ２５は、アプリケーションを要求する（Ｓ１１１）。この要求は、通信インタフェース１４，ＨＴＴＰサーバ１０４を介してコンテンツ提供部１０２に供給される。コンテンツ提供部１０２は、このような要求が供給されると、要求されたアプリケーションをストレージ装置１３から読み出して、携帯端末装置２０宛に送信する（Ｓ１１２）。アプリケーションが供給されると、ＭＰＵ２５は、これをメモリ２４に格納する。
【００３１】
また、使用者からコンテンツの取得が指示されると、ＭＰＵ２５は、コンテンツを要求する（Ｓ１２１）。この要求は、ネットワーク５，通信インタフェース１４，ＨＴＴＰサーバ１０４を介してコンテンツ提供部１０２に供給される。コンテンツ提供部１０２は、このような要求が供給されると、要求されたコンテンツをストレージ装置１３から読み出して、携帯端末装置２０宛に送信する（Ｓ１２２）。コンテンツが供給されると、ＭＰＵ２５は、これをメモリ２４に格納する。
【００３２】
コンテンツをメモリ２４に格納する際に、ＭＰＵ２５は、上述の管理テーブル２４ｅに当該コンテンツに固有の識別番号（ＣＩＤ）を割り当て、このＣＩＤに対応付けて、当該コンテンツの種類（項目「種類」）、ファイル名（項目「ファイル名」）、表示等の表示の制限の有無（項目「制限」）を格納する。なお、新規にコンテンツを取得した当初は項目「制限」を「有」としておき、後述のように、体組成計３０から測定データの取得等があった際に、項目「制限」を「無」とするようになっている。
【００３３】
（アプリケーションの動作）
また、本実施形態の健康管理システム１では、携帯端末装置２０のＭＰＵ２５がアプリケーション２４ｂを実行している。このアプリケーション２４ｂの実行により、ＭＰＵ２５は、毎日決まった時間・条件の下で体重・体脂肪率等の生体の状態の測定を使用者に促すようになっている。
【００３４】
具体的には、ＭＰＵ２５は、アプリケーション２４ｂの実行により、アプリケーション実行部２０１等として機能する。例えば図６に示すように、アプリケーション実行部２０１は、タイマー２０２のカウントに応じて、所定の時刻（タイマー設定時刻）になるまで待機する（Ｓ１）。タイマー設定時刻になると、アプリケーション実行部２０１は、表示制御部２０４に指示して、音声出力部２６によるアラーム表示（アラームの報知）を開始させる（Ｓ２）。このタイマー設定時刻は、例えば体重・体脂肪率の測定では、目覚め直後で朝食前あるいは夕食後で就寝前といった同様の条件で継続して行うことが測定望ましいので、使用者の起床時間あるいは就寝時刻に応じて設定しておく。また、アラーム表示においては、コンテンツが音声データを含むものであれば、表示等の制限の有無に従って、当該音声データによって報知するようにしてもよい。また、コンテンツが画像データを含むものであれば、音声データによる報知等と並行して、表示等の制限の有無に従って、当該画像データを表示させるようにしてもよい。
【００３５】
この後、アプリケーション実行部２０１は、体組成計３０から測定データが送信されるのを待機する（Ｓ３）。体組成計３０からの測定データを受信すると、アプリケーション実行部２０１は、表示制御部２０４に指示して音声出力部２６によるアラーム表示を停止させる（Ｓ４）。さらに、アプリケーション実行部２０１は、体組成計３０から受信した測定データをメモリ２４にユーザデータ２４ｄとして記録し（Ｓ５）、管理テーブル２４ｅ中の所定のコンテンツに対応する表示等の制限を解除する（Ｓ６）。具体的には、管理テーブル２４ｅ中で項目「制限」が「有」になっている所定のコンテンツについて項目「制限」を「無」に変更する。なお、どのコンテンツについて表示等の制限をかけ、測定データを受信した際に制限が解除されるのかについては、予めアプリケーション内で定義しておく。
【００３６】
管理テーブル２４ｅ中の項目「制限」を変更した後、アプリケーション実行部２０１は、当該アプリケーションを終了するか否かを確認し（Ｓ７）、終了しない場合には、次のタイマー設定時刻まで待機する（Ｓ１）。
【００３７】
（コンテンツの表示等）
この健康管理システム１では、携帯端末装置２０において、上述のアプリケーション２４ｂの動作と並行して、ＭＰＵ２５が表示プログラムを実行するコンテンツ２４ｃの表示処理を実行し得るように構成されている。この表示処理では、例えば図７に示すように、ＭＰＵ２５は、メモリ２４に格納されているコンテンツ２４ｃのリスト等を表示して使用者が表示するコンテンツ２４ｃを指定するのを待機する（Ｓ１１）。使用者からの指定があると、ＭＰＵ２５は、管理テーブル２４ｅを参照し、指定されたコンテンツ２４ｃの表示等の制限の有無を確認し、制限に応じて指定されたコンテンツ２４ｃの画像を生成し、表示部２２に表示させる（Ｓ１２）。この後、ＭＰＵ２５は確認画面等を表示部２２に表示して表示処理を終了するか否かを使用者に確認し（Ｓ１３）、終了が指示されない場合には、コンテンツの指定を待機する（Ｓ１１）。
【００３８】
以下、表示しようとするコンテンツ２４ｃが、例えば図８に示すように、音声データ２４１と画像データ２４２とを含む場合について説明する。
音声データ２４１は一般的なフォーマット（例えばＭＰ３，ＡＡＣ等）で符号化されている。画像データ２４２も一般的なフォーマット（例えばＰＮＧ，ＪＰＧ等）で符号化されている。これらの音声データ２４１，画像データ２４２は全体として１つのデータファイルとして符号化されており、ファイル名が割り当てられている。
【００３９】
表示プログラムは、このようなコンテンツを表示する際に、上述の管理テーブル２４ｅを参照し、表示等の制限の有無を確認する。表示等が制限されている（当該コンテンツのファイル名に対応する項目「制限」が「有」である）場合には、所定の画像データ２４２の所定の領域に対してマスク処理あるいはモザイク処理等の表示等の制限処理を行って、例えば図９に示すような画像５１を生成する。画像５１を生成すると、表示プログラムは、表示部２２の画像表示領域５０に表示する。この際、表示プログラムは、上述のように体組成計３０による測定を行った場合には、マスク処理あるいはモザイク処理された領域も見ることができるようになる旨を示すメッセージ５２を表示する。このような処理と並行して、表示プログラムは、音声データ２４１の再生を行う。
【００４０】
上述のように、体組成計３０による測定を行った後は、表示等の制限が解除されている場合には、当該コンテンツのファイル名に対応する項目「制限」が「無」である。このため、表示プログラムは、上述のマスク処理あるいはモザイク処理等の表示等の制限処理は行わず、画像データ２４２に応じて例えば図１０に示すような画像５３を生成する。これにより、使用者は画像データ２４２に応じた画像の全体を見ることができるようになる。
【００４１】
＜Ｃ：動作詳細＞
（体組成計３０による測定と測定データの送信）
上述のように構成された体組成計３０では、人（使用者）が乗ると、例えば圧力センサ４０の検出出力に応じて、電源が投入され、体重，体脂肪率等の生体の状態を示す指標を測定し、測定した指標（測定データ）を使用者の携帯端末装置２０宛に送信するようになっている。
【００４２】
使用者が測定を行う際には、体組成計３０の電極３１ａ，３１ｂに両足のつま先を接触させ、電極３２ａ，３２ｂに両足の踵を接触させた状態で測定を行う。圧力センサ４０は、体組成計３０に乗った使用者の体重に応じた検出出力を体重測定部４１に供給している。また、電流供給部３７は電極３１ａ，３１ｂ間に高周波の微弱な定電流を供給しており、電圧測定部３８は電極３２ａ，３２ｂ間の電圧を測定し、測定処理部３９ａに供給する。
【００４３】
体重測定部４１は、圧力センサ４０の検出出力に基づいて、使用者の体重を求め、測定処理部３９ａに供給する。また、測定処理部３９ａは、電圧測定部３８が検出した電圧と電流供給部３７が供給している電流とから生体（使用者）のインピーダンスを求め、求めたインピーダンスから体脂肪率等の生体の状態を示す指標を求める。
【００４４】
メモリ３５には、例えば図１１に示すように、複数の使用者について、前回測定した際の生体の状態を示す指標等を示す管理テーブルが格納されている。個々の使用者には固有の識別情報（ＩＤ）が割り当てられており、この管理テーブルには、ＩＤに対応付けて、使用者の名前，性別，年齢等の情報と、前回の測定時の体重，インピーダンス，体脂肪率，測定日時等が記録されている。なお、使用者の名前，性別，年齢等の情報については、予め操作部３３を介して入力されている。また、この管理テーブルには、前回の測定時（あるいは最初の設定時等に）に通信を行って測定データを提供した使用者の携帯端末装置２０のＭＡＣアドレス、ＰＩＮ（認証情報）等も記録されている。
【００４５】
上述のように生体の状態を示す指標を求めると、体組成計３０の通信制御部３９ｃは、例えば図１２に示すような手順により、近くにある携帯端末装置２０と通信を開始する。通信部３６と携帯端末装置２０の近距離通信部２１ａの間で、例えばＩＥＥＥ  ８０２．１５．１[ＢｌｕｅＴｏｏｔｈ（登録商標）]に従って通信を行う場合には、まず、ペアリング処理を行うようなっている（Ｓ２０１〜Ｓ２０４）。この際、携帯端末装置２０のＭＡＣアドレスも、体組成計３０側に供給される。
【００４６】
測定処理部３９ａは、上述のように測定した体重，インピーダンス等の指標に応じて、当該測定を行った使用者を特定し、通信制御部３９ｃに通知する。なお、使用者の特定は、例えば管理テーブルに記録されている複数の使用者の過去の指標（体重，インピーダンス等）のうち、上述のように測定した（現在の）体重、インピーダンス等の指標にもっとも近いものに対応する使用者を、当該測定を行った使用者とすることによって行う。通信制御部３９ｃは、上述の管理テーブルから、特定された使用者の携帯端末装置２０のＭＡＣアドレスを取得し、上述のペアリング処理において取得したＭＡＣアドレスと一致しているか否かを確認する。一致していれば、通信制御部３９ｃは、当該携帯端末装置２０に測定データを送信する（Ｓ２０５〜Ｓ２０８）。これにより、測定した生体の情報を示す指標（測定データ）が使用者の携帯端末装置２０に供給される。
【００４７】
これらのＭＡＣアドレスが一致していない場合には、測定データの送信は行わず、表示部３４に携帯端末装置２０を通信可能な位置に置くように促すメッセージ等を表示させる。
【００４８】
なお、上述のペアリングを行う前に、特定された使用者の携帯端末装置２０のＭＡＣアドレス等を管理テーブルから取得し、当該ＭＡＣアドレスを用いて、当該使用者の携帯端末装置２０とペアリングを行うようにしてもよい。
【００４９】
＜Ｄ．効果＞
この実施形態では、上述のように、毎日決まった時間・条件の下でアラーム表示に応じて、使用者が体重・体脂肪率等の生体の状態を示す指標を測定すると、コンテンツの表示等の制限を解除する。このような動作を予め使用者に伝えられていれば、コンテンツを見たいという欲求により、測定しようとする動機付けを与えることができる。これにより、同一条件下で継続して生体の状態を示す指標を測定させることができ、測定頻度を向上させて健康管理の有効性を向上させることができる。
【００５０】
また、この実施形態では、体組成計３０において、測定した生体の状態を示す指標から測定を行った使用者を特定し、特定した使用者に対応付けられた携帯端末装置２０に固有の情報（例えばＭＡＣアドレス）に基づいて、測定データを送信する携帯端末装置２０を選択している。これにより、測定した使用者以外の携帯端末装置２０に測定データを送信することを防止することができ、プライバシーの保護に寄与することができる。
【００５１】
＜Ｅ．変形例＞
なお、上述の説明では、サーバ装置１０から携帯端末装置２０にアプリケーションとコンテンツを提供する例について説明したが、予め、携帯端末装置２０にアプリケーションを格納しておき、コンテンツのみを携帯端末装置２０に提供するようにしてもよい。あるいは、予めアプリケーションとコンテンツを携帯端末装置２０に格納しておくようにしてもよい。
【００５２】
上述の実施形態では、生体の状態の一例として体重及び体脂肪率等を例に説明したが、血圧、尿糖あるいは歩数等の指標を測定するようにしてもよく、この場合には、体組成計３０と同様に、各々測定した指標を測定データとして携帯端末装置２０に送信するように構成することができる。
【００５３】
上述の実施形態では、使用者が、アラーム表示に応じて、体組成計３０に乗り、生体の状態を示す指標を測定し、携帯端末装置２０に測定データが供給された場合に、コンテンツの表示等の制限を解除するようにしていた。これに対し、所定の回数（日数）継続して測定を行った場合に、表示の制限を解除するようにしてもよい。これにより、使用者に、測定を継続させる動機付けを与えることができる。
【００５４】
また、上述の実施形態では、表示プログラムの機能により、画像データ２４２の一部の領域に対して、マスク処理あるいはモザイク処理等の表示等の制限処理を行って表示するようにしていた。これに対し、サーバ装置１０から携帯端末装置２０にコンテンツを提供する際に、予め画像データ２４２の一部にマスク処理［あるいはモザイク処理］した状態で提供しておき、体組成計３０から測定データを受信した際に、アプリケーション２４ｂが復元するようにしてもよい。これにより、例えばＭＰ４プレイヤー等汎用の表示プログラムを用いてコンテンツの再生を行うことができるようになり、汎用性の向上に寄与することができる。
【００５５】
上述の実施形態では、コンテンツの例として、音声データと画像データを含むコンテンツの例について説明したが、例えば「音声データのみ」，「動画データ」，「文章等のテキストデータ」，「ゲーム等のアプリケーション」等のコンテンツを提供する場合についても、上述と同様に、コンテンツの表示等の制限処理を行うことにより、使用者に生体の状態を示す指標の測定に対する動機付けを与えることができる。
【００５６】
上述の実施形態では、コンテンツの表示等の制限として、画像データの一部の領域に対するマスク処理あるいはモザイク処理を行う例について説明したが、表示等の制限にはいろいろなバリエーションが考えられる。例えば「音声データのみ」の場合には、音声データの一部の時間のみを再生（音声表示）可能に制限したり、再生する音質を制限したりすることができる。また、「動画データ」の場合には、音声部分のみを再生可能に制限したり、マスク処理やモザイク処理によって表示を制限したり、動画データの一部の時間のみを再生可能に制限したりすることができる。また、「文章等のテキストデータ」の場合には、文章の一部のみを表示可能に制限することができる。また、「ゲーム等のアプリケーション」の場合には、一部のみ進行可能に制限したり、キャラクタや武器等のアイテムを制限したりすることができる。
【００５７】
上述の実施形態では、携帯端末装置２０側で使用者の生体の状態を示す指標の管理を行っていたが、サーバ装置１０側で管理を行うようにしてもよい。この場合、例えば体組成計３０で測定を行う毎に、ポイントを付与し、一定ポイントがたまった場合に、新たなコンテンツを取得可能にする、といったサービスを使用者に提供することができる。このようなサービスを提供する場合には、携帯端末装置２０が測定データをサーバ装置１０に送信するように構成し、サーバ装置１０側において、ユーザデータ管理部１０３が使用者の測定データ，累積ポイント等をユーザデータ１３ｄとして記録しておき、コンテンツ提供部１０２が、これらのデータに応じて、携帯端末装置２０に提供するコンテンツ等を適宜選択するように構成する。
【００５８】
サーバ装置１０側で使用者の生体の状態を示す指標の管理を行う場合には、コンテンツの表示の制限（例えば画像データの一部の領域の暗号化等）をサーバ装置１０側で行うようにしてもよい。この場合、例えば所定の解除キー（データ）を用いることにより、コンテンツの表示等の制限が解除させるようにしておく。使用者が生体の状態を示す指標を測定し、携帯端末装置２０からサーバ装置１０に、この指標（測定データ）が供給された際に、サーバ装置１０から携帯端末装置２０に解除キーを送信する。表示プログラムは、解除キーの有無に応じてコンテンツの再生を行う。このような処理により、コンテンツの表示等の制限を行うことができる。
【００５９】
なお、本発明は上述した実施形態に限定されるものではなく、例えば、各実施形態を組み合わせた構成とすることもできる。
【符号の説明】
【００６０】
１……健康管理システム、１０……サーバ装置、１３ｂ……アプリケーション、１３ｃ……コンテンツ、２０……携帯端末装置、２１ａ……近距離通信部、３０……体組成計、３６……通信部、３９ａ……測定処理部、３９ｃ……通信制御部、１０２……コンテンツデータ管理部、２０１……アプリケーション実行部、２０３……状態管理部、２０４……表示制御部。
【図１】
2015119745.tif 000003
【図２】
2015119745.tif 000004
【図３】
2015119745.tif 000005
【図４】
2015119745.tif 000006
【図５】
2015119745.tif 000007
【図６】
2015119745.tif 000008
【図７】
2015119745.tif 000009
【図８】
2015119745.tif 000010
【図９】
2015119745.tif 000011
【図１０】
2015119745.tif 000012
【図１１】
2015119745.tif 000013
【図１２】
2015119745.tif 000014